(57)【要約】      （修正有）【課題】移動体の移動経路に位置する店舗や施設の利用頻度の向上を図る店舗情報配信装置を提供する。【解決手段】店舗情報配信システム１００において、店舗情報配信装置１は、車両装置２の識別情報と位置情報とを少なくとも含む移動体情報を取得する。店舗情報配信装置１は、移動体情報に含まれる位置情報に基づいて複数の異なる店舗のうちの対象店舗を決定する。対象店舗の店舗装置３から取得したサービス提供情報のうち移動体情報を送信した車両装置２に対する配信用のサービス提供情報を特定する。【選択図】図１
2020046750.tif 000002
【特許請求の範囲】
【請求項１】
移動体の識別情報と位置情報と搭乗者の属性とを少なくとも含む移動体情報を取得する移動体情報取得部と、
移動体情報に含まれる位置情報に基づいて複数の異なる店舗のうちの対象店舗を決定する対象店舗決定部と、
対象店舗から取得したサービス提供情報のうち前記移動体情報を送信した移動体に対する配信用のサービス提供情報を前記移動体情報に含まれる前記移動体の搭乗者の属性に基づいて特定する配信情報特定部と、
を備える店舗情報配信装置。
【請求項２】
前記複数の異なる店舗の店舗端末からサービス提供情報を取得するサービス提供情報取得部と、
を備える請求項１に記載の店舗情報配信装置。
【請求項３】
前記移動体情報を送信した移動体の識別情報に基づいて前記配信用のサービス提供情報を当該移動体に向けて送信するサービス提供情報送信部と、
を備える請求項１または請求項２に記載の店舗情報配信装置。
【請求項４】
移動体の識別情報と位置情報と搭乗者の属性とを少なくとも含む移動体情報を取得し、
移動体情報に含まれる位置情報に基づいて複数の異なる店舗のうちの対象店舗を決定し、
対象店舗から取得したサービス提供情報のうち前記移動体情報を送信した移動体に対する配信用のサービス提供情報を前記移動体情報に含まれる前記移動体の搭乗者の属性に基づいて特定する
店舗情報配信方法。
【請求項５】
店舗情報配信装置のコンピュータを、
移動体の識別情報と位置情報と搭乗者の属性とを少なくとも含む移動体情報を取得する移動体情報取得手段、
移動体情報に含まれる位置情報に基づいて複数の異なる店舗のうちの対象店舗を決定する対象店舗決定手段、
対象店舗から取得したサービス提供情報のうち前記移動体情報を送信した移動体に対する配信用のサービス提供情報を前記移動体情報に含まれる前記移動体の搭乗者の属性に基づいて特定する配信情報特定手段、
として機能させるプログラム。
【発明の詳細な説明】
【技術分野】
【０００１】
本発明は、店舗情報配信装置、店舗情報配信方法、プログラムに関する。
【背景技術】
【０００２】
車両を運転する搭乗者の休息場所となるサービスエリアや店舗では飲食物等を販売している。このような店舗では利用者が増加することを望んでいる。店舗の名称などの情報はナビゲーション装置に予め記憶されている場合があり、搭乗者はこの情報を閲覧して車両の位置に近い店舗を選択し利用することが多い。
【０００３】
なお本願の関連技術として特許文献１や特許文献２が開示されている。
特許文献１には無線端末が存在する位置に応じて、施設情報を配信することが開示されている。
特許文献２には店舗や施設などの所在地を示す位置データ並びに店舗や施設などを紹介する映像データ、音声データ、または文字データ等を利用者の位置や嗜好性に応じて配信することが開示されている。
【先行技術文献】
【特許文献】
【０００４】
【特許文献１】特開２００６−１５７３５４号公報
【特許文献２】特開２００６−１２０４５号公報
【発明の概要】
【発明が解決しようとする課題】
【０００５】
将来、車両以外にも様々な移動体が開発され自動運転技術が向上することにより移動体の運転技術が高度化する。この場合、移動体が目的地に到着する時間が早くなり移動体に搭乗者する搭乗者が上述のような目的地までの移動経路近傍のサービスエリアや店舗を利用せずに目的地のサービスエリアや目的地を利用することが増加することが想定される。従って、サービスエリアや店舗等は利用者が増加するような技術を求めている。
【０００６】
そこでこの発明は、上述の課題を解決する店舗情報配信装置、店舗情報配信方法、プログラムを提供することを目的としている。
【課題を解決するための手段】
【０００７】
本発明の第１の態様によれば、店舗情報配信装置は、移動体の識別情報と位置情報と搭乗者の属性とを少なくとも含む移動体情報を取得する移動体情報取得部と、移動体情報に含まれる位置情報に基づいて複数の異なる店舗のうちの対象店舗を決定する対象店舗決定部と、対象店舗から取得したサービス提供情報のうち前記移動体情報を送信した移動体に対する配信用のサービス提供情報を前記移動体情報に含まれる前記移動体の搭乗者の属性に基づいて特定する配信情報特定部と、を備えることを特徴とする。
【０００８】
本発明の第２の態様によれば、店舗情報配信方法は、移動体の識別情報と位置情報と搭乗者の属性とを少なくとも含む移動体情報を取得し、移動体情報に含まれる位置情報に基づいて複数の異なる店舗のうちの対象店舗を決定し、対象店舗から取得したサービス提供情報のうち前記移動体情報を送信した移動体に対する配信用のサービス提供情報を前記移動体情報に含まれる前記移動体の搭乗者の属性に基づいて特定することを特徴とする。
【０００９】
本発明の第３の態様によれば、プログラムは、店舗情報配信装置のコンピュータを、移動体の識別情報と位置情報と搭乗者の属性とを少なくとも含む移動体情報を取得する移動体情報取得手段、移動体情報に含まれる位置情報に基づいて複数の異なる店舗のうちの対象店舗を決定する対象店舗決定手段、対象店舗から取得したサービス提供情報のうち前記移動体情報を送信した移動体に対する配信用のサービス提供情報を前記移動体情報に含まれる前記移動体の搭乗者の属性に基づいて特定する配信情報特定手段、として機能させることを特徴とする。
【発明の効果】
【００１０】
本発明によれば、移動体の移動経路に位置する店舗や施設の利用頻度の向上を図ることができる。
【図面の簡単な説明】
【００１１】
【図１】本発明の一実施形態による店舗情報配信システムの概要を示す図である。
【図２】本発明の一実施形態による店舗情報配信装置のハードウェア構成図である。
【図３】本発明の一実施形態による店舗情報配信装置の機能ブロック図である。
【図４】本発明の一実施形態による店舗情報配信装置の処理フローを示す図である。
【図５】本発明の一実施形態による店舗情報配信装置の最小構成を示す図である。
【発明を実施するための形態】
【００１２】
以下、本発明の一実施形態による店舗情報配信装置を図面を参照して説明する。
図１は同実施形態による店舗情報配信装置を含む店舗情報配信システムの概要を示す図である。
図１で示すように店舗情報配信システム１００は店舗情報配信装置１と車載装置２と店舗装置３とが無線通信ネットワークや有線通信ネットワークを介して接続されることにより構成される。店舗情報配信装置１は例えば店舗情報の配信サービスを行う事業者が設置し通信ネットワークに接続したコンピュータサーバである。車載装置２は複数の移動体２０それぞれ設けられている。図１においては移動体２０として自動車を示しているが自動二輪車やその他の移動体２０であってもよい。車載装置２は移動体２０の搭乗者に様々な情報を表示、出力する装置である。店舗装置３は移動体２０が移動する道路等の移動経路の近傍に設けられているサービスエリアや店舗に設置されているコンピュータ装置である。
【００１３】
図２は店舗情報配信装置のハードウェア構成図である。
この図が示すように店舗情報配信装置１はＣＰＵ（Central Processing Unit）１０１、ＲＯＭ（Read Only Memory）１０２、ＲＡＭ（Random Access Memory）１０３、ＨＤＤ（Hard Disk Drive）１０４、通信モジュール１０５等の各ハードウェアを備えたコンピュータである。
【００１４】
図３は店舗情報配信装置の機能ブロック図である。
店舗情報配信装置１は記憶する店舗情報配信プログラムを起動後に実行する。これにより店舗情報配信装置１は、制御部１１、サービス提供情報取得部１２、移動体情報取得部１３、対象店舗決定部１４、配信情報特定部１５、サービス提供情報送信部１６を備える。
【００１５】
制御部１１は、他の機能部を制御する。
サービス提供情報取得部１２は、複数の異なる店舗の店舗端末からサービス提供情報を取得する。
移動体情報取得部１３は、移動体２０の識別情報と位置情報と搭乗者の属性とを少なくとも含む移動体情報を取得する。
対象店舗決定部１４は、移動体情報に含まれる位置情報に基づいて複数の異なる店舗のうちの対象店舗を決定する。
配信情報特定部１５は、対象店舗から取得したサービス提供情報のうち移動体情報を送信した移動体２０に対する配信用のサービス提供情報を移動体情報に含まれる移動体２０の搭乗者の属性に基づいて特定する。
サービス提供情報送信部１６は、移動体情報を送信した移動体２０の識別情報に基づいて配信用のサービス提供情報を当該移動体２０に向けて送信する。
【００１６】
図４は店舗情報配信装置の処理フローを示す図である。
次に店舗情報配信装置の処理フローについて順を追って説明する。
まずサービスエリアや店舗に設置されている店舗装置３は店員の操作に基づいてサービス提供情報を店舗情報配信装置１へ送信する。サービス提供情報には例えば店舗が提供する商品の識別情報（通常物販商品や特産品のＩＤ、飲食提供商品のＩＤ、）や、価格、店舗名などの情報が含まれる。店舗情報配信装置１のサービス提供情報取得部１２は受信したサービス提供情報を取得する（ステップＳ１０１）。サービス提供情報取得部１２は店舗の識別情報に紐づけて、サービス提供情報をＨＤＤ１０４やデータベース等の記憶部に記録する。これにより店舗情報配信装置１は店舗ごとの１つまたは複数のサービス提供情報を記憶するサービス提供情報テーブルを保持する。
【００１７】
移動体２０の車載装置２は搭乗者の設定に基づいて、稼働時に定期的に店舗情報配信装置１へ移動体情報を送信する。移動体情報には少なくとも移動体ＩＤ、位置情報（緯度、経度）、搭乗者属性が含まれる。位置情報は車載装置２に内蔵されたＧＰＳシステムが検知したものであってよい。搭乗者属性は移動体２０の利用時に搭乗者が設定し車載装置２に記録されたものであってよい。例えば車載装置２は各搭乗者の年齢、性別、嗜好種別などの情報を記憶してよい。車載装置２はカメラを設け、当該カメラの情報に基づいて、搭乗者の人数、各搭乗者の年齢、性別を自動認識するようにしてもよい。嗜好情報は車載装置２が搭乗者の自動認識に基づいて、当該搭乗者の識別情報を特定し、その識別情報に基づいてクラウドサーバにアクセスして取得した情報であってもよい。
【００１８】
店舗情報配信装置１の移動体情報取得部１３は車載装置２から取得した移動体情報を取得する（ステップＳ１０２）。移動体情報取得部１３は移動体ＩＤに紐づけて、移動体情報をＨＤＤ１０４やデータベース等の記憶部に記録する。これにより店舗情報配信装置１は移動体２０ごとの移動体情報を移動体情報テーブルに保持する。
【００１９】
店舗情報配信装置１はサービス提供情報テーブルや移動体情報テーブルを保持した状態において、処理対象の移動体２０のＩＤを特定する。具体的には対象店舗決定部１４は、移動体情報テーブル部含まれる移動体情報のうち未処理の移動体情報に含まれる移動体ＩＤを処理対象の移動体２０のＩＤと特定する（ステップＳ１０３）。対象店舗決定部１４は、特定した移動体を含む移動体情報からその移動体の位置情報を取得する（ステップＳ１０４）。店舗情報配信装置１は予め店舗ＩＤに紐づけてその店舗の位置情報を記憶しているものとする。対象店舗決定部１４はサービス提供情報テーブルに含まれる１つ目の店舗の位置情報を取得する（ステップＳ１０５）。対象店舗決定部１４は移動体の位置情報と、店舗の位置情報とに基づいてその距離が所定距離以内かを判定する（ステップＳ１０６）。対象店舗決定部１４は移動体の位置情報と店舗の位置情報との距離が所定距離以内である場合にはその店舗を対象店舗と決定する（ステップＳ１０７）。対象店舗決定部１４はサービス提供情報テーブルに含まれる未処理の次の店舗が有るかを判定する（ステップＳ１０８）。未処理の次の店舗が有る場合その店舗の位置情報を取得し、同様にステップＳ１０３からの処理を繰り返して複数の対象店舗を決定する。
【００２０】
配信情報特定部１５は決定した対象店舗のＩＤに紐づいてサービス提供情報テーブルに記録されているサービス提供情報を取得する（ステップＳ１０９）。配信情報特定部１５は処理対象の移動体ＩＤに紐づいて移動体情報テーブルに記録されている搭乗者属性を取得する（ステップＳ１１０）。配信情報特定部１５は取得したサービス提供情報と搭乗者属性とに基づいて、搭乗者属性が示す搭乗者に適したサービス提供情報とそのサービス提供情報を提供する店舗の店舗ＩＤを特定する（ステップＳ１１１）。搭乗者属性が示す搭乗者に適したサービス提供情報の特定は例えば機械学習等によって得られた機械学習結果に基づいて行うようにしてよい。または搭乗者属性に応じた適切なサービス提供情報のマッチングテーブルに基づいて、対象店舗の提供するサービス提供情報の中から搭乗者属性が示す搭乗者に適したサービス提供情報の特定を行ってもよい。
【００２１】
サービス提供情報送信部１６は、配信情報特定部１５の特定したサービス提供情報と対象店舗のＩＤとを含み、対象店舗のＩＤに基づいて特定される店舗情報（位置、店舗名など）を含む配信情報を生成する（ステップＳ１１２）。サービス提供情報送信部１６は配信情報を処理対象の移動体の移動体ＩＤに基づいて特定したネットワークアドレス宛に送信する（ステップＳ１１３）。これにより配信情報が処理対象の移動体に送信される。
【００２２】
制御部１１は移動体情報テーブル部含まれる移動体情報のうち未処理の移動体情報が有るかを判定する（ステップＳ１１４）。制御部１１は未処理の移動体情報が有る場合には上述のステップＳ１０９からの処理を繰り返す。そして車載装置２は配信情報を受信し、配信情報に含まれる情報に基づいて、店舗の位置を表示した地図情報や、搭乗者に適した各店舗のサービス提供情報をモニタに表示する。
【００２３】
上述の処理によれば、搭乗者は移動体２０の近傍の店舗のサービス提供情報のうち自身の嗜好に応じた最新のサービス提供情報を確認することができる。
また上述の処理によれば車載装置２が自動で搭乗者属性を検知できる場合には、搭乗者の労力なく搭乗者は移動体２０の近傍の店舗のサービス提供情報のうち自身の嗜好に応じた最新のサービス提供情報を確認することができる。
また上述の処理によれば店舗装置３を有する店舗は自店舗で提供するサービス提供情報に適した利用者を増加させることができる。
そして上述の処理によれば移動体の移動経路に位置する店舗や施設の利用頻度の向上を図ることができる。
【００２４】
上述の店舗は高速道路、一般道路などに設けられ、店舗情報配信装置１はそれら店舗の有する店舗装置３から最新のサービス提供情報の更新を受け付けるようにしてもよい。
【００２５】
図５は店舗情報配信装置の最小構成を示す図である。
店舗情報配信装置１は少なくとも、移動体情報取得部１３、対象店舗決定部１４、配信情報特定部１５の処理部を備える。
移動体情報取得部１３は、移動体の識別情報と位置情報と搭乗者の属性とを少なくとも含む移動体情報を取得する。
対象店舗決定部１４は、移動体情報に含まれる位置情報に基づいて複数の異なる店舗のうちの対象店舗を決定する。
配信情報特定部１５は、対象店舗から取得したサービス提供情報のうち移動体情報を送信した移動体に対する配信用のサービス提供情報を移動体情報に含まれる移動体の搭乗者の属性に基づいて特定する。
店舗情報配信装置１が上述の最小構成である場合、他の処理部は他の一つまたは複数の装置に備えられて、それら装置が協働して上述した処理を行うようにする。
【００２６】
上述の店舗情報配信装置１や車載装置２の店舗装置３は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。
【００２７】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２８】
１・・・店舗情報配信装置
２・・・車載装置
３・・・店舗装置
１１・・・制御部
１２・・・サービス提供情報取得部
１３・・・移動体情報取得部
１４・・・対象店舗決定部
１５・・・配信情報特定部
１６・・・サービス提供情報送信部
【図１】
2020046750.tif 000003
【図２】
2020046750.tif 000004
【図３】
2020046750.tif 000005
【図４】
2020046750.tif 000006
【図５】
2020046750.tif 000007